(57)【要約】【課題】配索材を適正に保持することができる電気接続箱及びワイヤハーネスを提供する。【解決手段】電気接続箱１及びワイヤハーネスＷＨは、相互に組み付けられ収容空間部３４を区分けするフレーム３１及びアッパカバー３３と、フレーム３１又はアッパカバー３３の境界端部Ｌが開口されて形成され導電性の配索材Ｗが内外に渡って挿通される挿通口３６ａ、３６ｂとを有する筐体を備える。そして、フレーム３１は、挿通口３６ａ、３６ｂの両側に設けられ、挟持方向に可撓性を有し、配索材Ｗを挟持して保持する一対の保持片を有する。アッパカバー３３は、フレーム３１及びアッパカバー３３が組み付けられた状態で、一対の保持片の配索材Ｗとは反対側を支持する支持突起リブを有する。【選択図】図２
2018148771.tif 000002
【特許請求の範囲】
【請求項１】
相互に組み付けられ内部空間を区分けする第一部材及び第二部材と、前記第一部材又は前記第二部材の少なくとも一方の境界端部が開口されて形成され導電性の配索材が内外に渡って挿通される挿通口と、を有する筐体を備え、
前記第一部材又は前記第二部材の一方は、
前記挿通口の両側に設けられ、挟持方向に可撓性を有し、前記配索材を挟持して保持する一対の保持片を有し、
前記第一部材又は前記第二部材の他方は、
前記第一部材及び前記第二部材が組み付けられた状態で、前記一対の保持片の前記配索材とは反対側を支持する支持突起部を有することを特徴とする電気接続箱。
【請求項２】
前記支持突起部は、前記筐体内部に設けられ、前記挿通口が設けられる壁面に面対向する板部材である請求項１に記載の電気接続箱。
【請求項３】
内部に前記配索材が挿通されることで当該配索材に外装される外装材を備え、
前記一対の保持片は、前記外装材を両側から挟持し且つ保持する請求項１又は２に記載の電気接続箱。
【請求項４】
導電性の配索材と、
前記配索材に電気的に接続される電気接続箱と、を備え、
前記電気接続箱は、
相互に組み付けられ内部空間を区分けする第一部材及び第二部材と、前記第一部材又は前記第二部材の少なくとも一方の境界端部が開口されて形成され導電性の配索材が内外に渡って挿通される挿通口と、を有する筐体を有し、
前記第一部材又は前記第二部材の一方は、
前記挿通口の両側に設けられ、挟持方向に可撓性を有し、前記配索材を挟持して保持する一対の保持片を有し、
前記第一部材又は前記第二部材の他方は、
前記第一部材及び前記第二部材が組み付けられた状態で、前記一対の保持片の前記配索材とは反対側を支持する支持突起部を有することを特徴とするワイヤハーネス。
【発明の詳細な説明】
【技術分野】
【０００１】
本発明は、電気接続箱及びワイヤハーネスに関する。
【背景技術】
【０００２】
従来、電気接続箱（ジャンクションボックス、ヒューズボックス、リレーボックスなどとも呼ばれる）は、車両に搭載され、ワイヤハーネス等の接続処理用部品や、ヒューズ、リレー、電子制御ユニット等の電装品などの種々の電子部品モジュールを集約して内部空間に収容している（例えば、特許文献１）。
【先行技術文献】
【特許文献】
【０００３】
【特許文献１】特開２０１１−１２５１７３号公報
【発明の概要】
【発明が解決しようとする課題】
【０００４】
ところで、電気接続箱の筐体は、例えば、内部空間を区分けするフレームとアッパカバーとを含んで構成されている。そして、筐体は、フレーム又はアッパカバーの境界端部が開口されて形成され配索材が内外に渡って挿通される挿通口を有する場合がある。この場合、電気接続箱は、配索材を挿通口で保持する必要があり、この点で更なる改善の余地がある。
【０００５】
そこで、本発明は、上記に鑑みてなされたものであって、配索材を適正に保持することができる電気接続箱及びワイヤハーネスを提供することを目的とする。
【課題を解決するための手段】
【０００６】
上述した課題を解決し、目的を達成するために、本発明に係る電気接続箱は、相互に組み付けられ内部空間を区分けする第一部材及び第二部材と、前記第一部材又は前記第二部材の少なくとも一方の境界端部が開口されて形成され導電性の配索材が内外に渡って挿通される挿通口と、を有する筐体を備え、前記第一部材又は前記第二部材の一方は、前記挿通口の両側に設けられ、挟持方向に可撓性を有し、前記配索材を挟持して保持する一対の保持片を有し、前記第一部材又は前記第二部材の他方は、前記第一部材及び前記第二部材が組み付けられた状態で、前記一対の保持片の前記配索材とは反対側を支持する支持突起部を有することを特徴とする。
【０００７】
また、上記電気接続箱において、前記支持突起部は、前記筐体内部に設けられ、前記挿通口が設けられる壁面に面対向する板部材であることが好ましい。
【０００８】
また、上記電気接続箱において、内部に前記配索材が挿通されることで当該配索材に外装される外装材を備え、前記一対の保持片は、前記外装材を両側から挟持し且つ保持することが好ましい。
【０００９】
また、本発明に係るワイヤハーネスは、導電性の配索材と、前記配索材に電気的に接続される電気接続箱と、を備え、前記電気接続箱は、相互に組み付けられ内部空間を区分けする第一部材及び第二部材と、前記第一部材又は前記第二部材の少なくとも一方の境界端部が開口されて形成され導電性の配索材が内外に渡って挿通される挿通口と、を有する筐体を有し、前記第一部材又は前記第二部材の一方は、前記挿通口の両側に設けられ、挟持方向に可撓性を有し、前記配索材を挟持して保持する一対の保持片を有し、前記第一部材又は前記第二部材の他方は、前記第一部材及び前記第二部材が組み付けられた状態で、前記一対の保持片の前記配索材とは反対側を支持する支持突起部を有することを特徴とする。
【発明の効果】
【００１０】
本発明に係る電気接続箱及びワイヤハーネスは、第一部材又は第二部材の一方が、挟持方向に可撓性を有し、配索材を挟持して保持する一対の保持片を有し、第一部材又は第二部材の他方が、第一部材及び第二部材が組み付けられた状態で、一対の保持片の配索材とは反対側を支持する支持突起部を有する。これにより、電気接続箱及びワイヤハーネスは、第一部材及び第二部材が組み付けられていない状態で、一対の保持片を撓ませながら配索材を一対の保持片に挟持させることができる。そして、電気接続箱及びワイヤハーネスは、第一部材及び第二部材が組み付けられた状態において、支持突起部が一対の保持片を配索材の反対側から支持するので、外力が配索材に加えられても一対の保持片が撓むことを抑制できる。この結果、電気接続箱及びワイヤハーネスは、配索材を適正に保持することができる。
【図面の簡単な説明】
【００１１】
【図１】図１は、実施形態に係る電気接続箱の構成例を示す斜視図である。
【図２】図２は、実施形態に係る電気接続箱の構成例を示す分解斜視図である。
【図３】図３は、実施形態に係る一対の保持片の構成例を示す斜視図である。
【図４】図４は、実施形態に係るアッパカバーの構成例を示す斜視図である。
【図５】図５は、実施形態に係る支持突起部の構成例を示す斜視図である。
【図６】図６は、実施形態に係る配索材の保持例を示す図１のＰ−Ｐ断面図である。
【発明を実施するための形態】
【００１２】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１３】
〔実施形態〕
実施形態に係る電気接続箱１及びワイヤハーネスＷＨについて説明する。以下の説明では、互いに交差する第１方向、第２方向、及び、第３方向のうち、第１方向を「高さ方向Ｘ」といい、第２方向を「第１幅方向Ｙ」といい、第３方向を「第２幅方向Ｚ」という。ここでは、高さ方向Ｘと第１幅方向Ｙと第２幅方向Ｚとは、相互に直交する。典型的には、図示しない車両の製造段階や電気接続箱１が車両に搭載され当該車両が水平面に位置する状態で、高さ方向Ｘは、鉛直方向に沿い、第１幅方向Ｙ、第２幅方向Ｚは、水平方向に沿う。以下の説明では、高さ方向Ｘにおいて後述のアッパカバー３３が設けられる側を上側、後述のロアカバー３２が設けられる側を下側という場合がある。以下の説明で用いる各方向は、特に断りのない限り、各部が相互に組み付けられ、電気接続箱１が車両に搭載された状態での方向として説明する。
【００１４】
図１、図２に示す本実施形態に係る電気接続箱１は、自動車等の車両に搭載され、ワイヤハーネスＷＨに組み込まれるものである。ワイヤハーネスＷＨは、例えば、車両に搭載される各装置間の接続のために、電源供給や信号通信に用いられる複数の配索材Ｗを束にして集合部品とし、コネクタ等で複数の配索材Ｗを各装置に接続するようにしたものである。ワイヤハーネスＷＨは、導電性の配索材Ｗと、内部に配索材Ｗが挿通される外装材としてのコルゲートチューブＣと、配索材Ｗに電気的に接続される電気接続箱１とを備える。配索材Ｗは、例えば、金属棒、電線、電線束等によって構成される。金属棒は、導電性の棒状部材の外側を絶縁性の被覆部によって覆ったものである。電線は、複数の導電性の金属素線からなる導体部（芯線）の外側を絶縁性の被覆部によって覆ったものである。電線束は、当該電線を束ねたものである。
【００１５】
コルゲートチューブＣは、絶縁性の樹脂材料によって可撓性を有する筒状（管状）、ここでは円筒状に形成される。コルゲートチューブＣは、外表面に周方向に沿って円環状の凹凸部が形成され、当該凹凸部が延在方向（軸方向）に沿って複数設けられた蛇腹形状をなしている。コルゲートチューブＣは、内部に配索材Ｗが挿通されることで当該配索材Ｗに外装され、配索材Ｗの外周側を覆い保護するものである。また、コルゲートチューブＣは、延在方向に沿って、内部に配索材Ｗを挿通させるためのスリットが形成されていてもよい。ワイヤハーネスＷＨは、複数の配索材Ｗを束ねて集約すると共に、束ねられた配索材Ｗの端末に設けられた端子やコネクタ等を介して電気接続箱１が電気的に接続される。ワイヤハーネスＷＨは、この他、さらに、グロメット、プロテクタ、固定具等を含んで構成されてもよい。
【００１６】
電気接続箱１は、コネクタ、ヒューズ、リレー、コンデンサ、分岐部、電子制御ユニット等の電装品を集約して内部に収容するものである。電気接続箱１は、配索材Ｗ等を介して、電源と、車両内に搭載される各種電子機器との間に接続されている。電気接続箱１は、電源から供給された電力を車両内の各種電子機器に分配する。電気接続箱１は、ジャンクションボックス、ヒューズボックス、リレーボックスなどとも呼ばれる場合があるが、本実施形態ではこれらを総称して電気接続箱と呼ぶ。
【００１７】
電気接続箱１は、電子部品２と、筐体３とを備える。電子部品２は、筐体３の内部に収容され、配索材Ｗが電気的に接続されるものである。電子部品２は、複数設けられる。電子部品２は、例えば、コネクタ、ヒューズ、リレー、コンデンサ、分岐部、電子制御ユニット、これらをユニット化した電子部品ユニット等である。
【００１８】
筐体３は、内部に形成される内部空間としての収容空間部３４に電子部品２を収容するものである。筐体３は、第一部材としてのフレーム３１、底部材としてのロアカバー３２、及び、第二部材としてのアッパカバー３３を含んで構成される。筐体３は、フレーム３１、ロアカバー３２、及び、アッパカバー３３が組み合わさって全体として中空箱状に形成される。筐体３は、フレーム３１、ロアカバー３２、及び、アッパカバー３３が分割された３層分割構造となっている。フレーム３１、ロアカバー３２、及び、アッパカバー３３は、絶縁性の合成樹脂によって形成される。
【００１９】
フレーム３１は、収容空間部３４を形成する主たる部材である。フレーム３１は、高さ方向Ｘに対向する２面に開口を有する筒枠状に形成される。フレーム３１は、本体側壁面としての側壁面３１ａによって中空状に形成される。側壁面３１ａは、収容空間部３４を形成する壁体である。側壁面３１ａは、多角形筒状（略矩形筒状）に形成され、高さ方向Ｘの両側に開口している。フレーム３１は、側壁面３１ａの内側に複数の仕切り板３１ｂを有し、当該各仕切り板３１ｂにより収容空間部３４を細分化する。例えば、各仕切り板３１ｂは、側壁面３１ａの内側に第２幅方向Ｚ方向に沿って設けられ、収容空間部３４を略半分に区画する。
【００２０】
ロアカバー３２は、フレーム３１の高さ方向Ｘの下側の開口を塞ぐ皿状（トレイ状）の部材である。ロアカバー３２は、底部材側壁面としての側壁面３２ａと、底面３２ｂとによって中空状に形成される。側壁面３２ａは、多角形筒状（略矩形筒状）に形成された壁体である。底面３２ｂは、側壁面３２ａの一方の開口（高さ方向Ｘの下側の開口）を塞ぐ底体である。アッパカバー３３は、フレーム３１の高さ方向Ｘの上側の開口を塞ぐ蓋状の部材である。アッパカバー３３は、蓋部材側壁面としての側壁面３３ａと、天井面３３ｂとによって中空状に形成される。側壁面３３ａは、多角形筒状（略矩形筒状）に形成された壁体である。天井面３３ｂは、側壁面３３ａの一方の開口（高さ方向Ｘの上側の開口）を塞ぐ天井体である。
【００２１】
筐体３は、フレーム３１の高さ方向Ｘの下側の開口とロアカバー３２の開口とが対向し、フレーム３１の高さ方向Ｘの上側の開口とアッパカバー３３の開口とが対向するように位置する。そして、筐体３は、ロアカバー３２がフレーム３１の高さ方向Ｘの下側に組み付けられアッパカバー３３がフレーム３１の高さ方向Ｘの上側に組み付けられる。筐体３は、種々の形式の係止機構３５を備え、フレーム３１に対して、種々の形式の係止機構３５を介して、アッパカバー３３、ロアカバー３２が係止される。筐体３は、全体として、第１幅方向Ｙに沿った方向が短辺、第２幅方向Ｚに沿った方向が長辺となる略直方体状に形成される。この構成により、筐体３は、フレーム３１、ロアカバー３２、及び、アッパカバー３３の内部に収容空間部３４が区画される。
【００２２】
また、筐体３は、複数の挿通口３６（３６ａ、３６ｂ）を有しており、コルゲートチューブＣが外装された配索材Ｗ（以下、単に「配索材Ｗ」とも称する。）が当該挿通口３６を介して筐体３の内外に渡って挿通され、電子部品２に電気的に接続される。挿通口３６は、挿通されるコルゲートチューブＣの外形の形状に合わせて開口されている。挿通口３６は、例えば、フレーム３１又はアッパカバー３３の境界端部Ｌが開口されて形成されている。例えば、挿通口３６ａは、フレーム３１の高さ方向Ｘの上側の開口において、当該開口の縁部に半円形状の下半円開口部３１ｃが形成されている。また、挿通口３６ａは、アッパカバー３３の開口の縁部に半円形状の上半円開口部３３ｃが各下半円開口部３１ｃと対向する位置に形成されている。これにより、挿通口３６ａは、アッパカバー３３がフレーム３１の高さ方向Ｘの上側に組み付けられた状態で各下半円開口部３１ｃと各上半円開口部３３ｃとが組み合わされ、略円形の挿通開口部を形成する。そして、挿通口３６ａは、この挿通開口部に配索材Ｗが挿通される。挿通口３６ｂは、第１幅方向Ｙに挿通口３６ａと並んで設けられ、下半円開口部３１ｄ及び上半円開口部３３ｄを有し、挿通口３６ａと同等に形成されている。
【００２３】
収容空間部３４は、フレーム３１、ロアカバー３２、及び、アッパカバー３３によって区画され、当該フレーム３１、ロアカバー３２、及び、アッパカバー３３によって囲われた空間である。収容空間部３４は、内部に電子部品２を収容する。収容空間部３４は、第１幅方向Ｙ、及び、第２幅方向Ｚに対してフレーム３１の側壁面３１ａ、ロアカバー３２の側壁面３２ａ、及び、アッパカバー３３の側壁面３３ａによって区画される。また、収容空間部３４は、高さ方向Ｘの下側がロアカバー３２の底面３２ｂによって区画され、高さ方向Ｘの上側がアッパカバー３３の天井面３３ｂによって区画される。電気接続箱１は、この収容空間部３４内にブロック３７が設けられる。ブロック３７は、種々の形式の係止機構を介して、フレーム３１に対して着脱可能に組み付けられる。ブロック３７は、フレーム３１等と同様に絶縁性の合成樹脂によって形成される。ブロック３７は、複数に分割されていてもよい。ブロック３７は、多数の接続部としてのキャビティが形成される。電子部品２は、各キャビティ内に組み付けられる。また、ブロック３７は、導電性の金属材料によって構成された回路体が組み付けられている。回路体は、各キャビティに組み付けられた各電子部品２を電気的に接続し電気回路の一部を構成するものであり、例えば、バスバ等である。ブロック３７は、各キャビティに対して、挿通口３６等を介して配索された配索材Ｗの端末に設けられた端子等が差し込まれ嵌合される。また、ブロック３７は、各キャビティに対して、高さ方向Ｘの上側から電子部品２が差し込まれ嵌合される。この構成により、各電子部品２と配索材Ｗとは、ブロック３７に組み付けられ搭載された状態でバスバ等の回路体を介して相互に電気的に接続され、要求される電気回路を構成する。
【００２４】
そして、本実施形態の電気接続箱１の筐体３は、図３、図４、図５に示すように、さらに保持部３８と、支持突起部としての支持突起リブ３９とを有する。保持部３８は、挿通口３６に挿通された配索材Ｗを保持する部材であり、複数の一対の保持片３８Ａ、３８Ｂを有する（図３参照）。一対の保持片３８Ａは、挟持方向（第１幅方向Ｙ）に可撓性を有し、配索材Ｗを挟持して保持する。一対の保持片３８Ａは、第１保持片３８ａと第２保持片３８ｂとを備える。第１保持片３８ａ及び第２保持片３８ｂは、挿通口３６ａの両側に設けられ、挿通口３６ａを挟んで第１幅方向Ｙに対向している。第１保持片３８ａは、挿通口３６ａを構成する下半円開口部３１ｃの第１幅方向Ｙの一方側の端部に立設されている。第１保持片３８ａは、例えば、コルゲートチューブＣが外装された配索材Ｗの外周面の一部を保持する保持面板３８ｃと、当該保持面板３８ｃを補強する補強片３８ｄとを有する。保持面板３８ｃは、コルゲートチューブＣの外周面の形状に沿って湾曲して形成された板状部材である。補強片３８ｄは、保持面板３８ｃの第２幅方向Ｚの両端部に設けられ、配索材Ｗとは反対側から保持面板３８ｃを支持する。補強片３８ｄは、保持面板３８ｃが配索材Ｗを保持する場合に、当該保持面板３８ｃが撓み可能に保持面板３８ｃを支持する。
【００２５】
第２保持片３８ｂは、下半円開口部３１ｃの第１幅方向Ｙの他方側の端部に立設されている。第２保持片３８ｂは、第１保持片３８ａと同等に形成されている。つまり、第２保持片３８ｂは、例えば、コルゲートチューブＣが外装された配索材Ｗの外周面の一部を保持する保持面板３８ｅと、当該保持面板３８ｅを補強する補強片３８ｆとを有する。保持面板３８ｅは、コルゲートチューブＣの外周面の形状に沿って湾曲して形成された板状部材である。補強片３８ｆは、保持面板３８ｅの第２幅方向Ｚの両端部に設けられ、配索材Ｗとは反対側から保持面板３８ｅを支持する。補強片３８ｆは、保持面板３８ｅが配索材Ｗを保持する場合に、当該保持面板３８ｅが撓み可能に保持面板３８ｅを支持する。
【００２６】
このように構成された一対の保持片３８Ａは、第１保持片３８ａの先端部と第２保持片３８ｂの先端部との間隔が、コルゲートチューブＣの直径よりも狭く設定されている（初期状態）。これにより、一対の保持片３８Ａは、第１保持片３８ａと第２保持片３８ｂとの間から配索材Ｗが押し込まれた場合、第１保持片３８ａと第２保持片３８ｂとが互いに離間する方向に撓み、その後、配索材Ｗが下半円開口部３１ｃまで押し込まれると第１保持片３８ａ及び第２保持片３８ｂが初期状態に戻る。
【００２７】
一対の保持片３８Ｂは、一対の保持片３８Ａと同等の構成であり、挟持方向に可撓性を有し、配索材Ｗを挟持して保持する。一対の保持片３８Ｂは、第１保持片３８ｇと第２保持片３８ｈとを備える。第１保持片３８ｇ及び第２保持片３８ｈは、挿通口３６ｂの両側に設けられ、挿通口３６ｂを挟んで第１幅方向Ｙに対向している。第１保持片３８ｇは、挿通口３６ｂを構成する下半円開口部３１ｄの第１幅方向Ｙの一方側の端部に立設されている。第１保持片３８ｇは、例えば、コルゲートチューブＣが外装された配索材Ｗの外周面の一部を保持する保持面板３８ｉと、当該保持面板３８ｉを補強する補強片３８ｊとを有する。保持面板３８ｉは、コルゲートチューブＣの外周面の形状に沿って湾曲して形成された板状部材である。補強片３８ｊは、保持面板３８ｉの第２幅方向Ｚの両端部に設けられ、配索材Ｗとは反対側から保持面板３８ｉを支持する。補強片３８ｊは、保持面板３８ｉが配索材Ｗを保持する場合に、当該保持面板３８ｉが撓み可能に保持面板３８ｉを支持する。
【００２８】
第２保持片３８ｈは、下半円開口部３１ｄの第１幅方向Ｙの他方側の端部に立設されている。第２保持片３８ｈは、第１保持片３８ｇと同等に形成されているが、仕切り板３１ｂに固定されているので撓まない構成となっている。具体的には、第２保持片３８ｈは、例えば、コルゲートチューブＣが外装された配索材Ｗの外周面の一部を保持する保持面板３８ｋと、当該保持面板３８ｋを補強する補強片３８ｍとを有する。保持面板３８ｋは、コルゲートチューブＣの外周面の形状に沿って湾曲して形成された板状部材である。補強片３８ｍは、保持面板３８ｋの第２幅方向Ｚの両端部に設けられ、配索材Ｗとは反対側から保持面板３８ｋを支持する。補強片３８ｍは、保持面板３８ｋとは反対側の端部が仕切り板３１ｂに固定され、保持面板３８ｋが配索材Ｗを保持する場合に、当該保持面板３８ｋが撓み不可能に保持面板３８ｋを支持する。
【００２９】
このように構成された一対の保持片３８Ｂは、第１保持片３８ｇの先端部と第２保持片３８ｈの先端部との間隔が、配索材Ｗの直径よりも狭く設定されている（初期状態）。これにより、一対の保持片３８Ｂは、第１保持片３８ｇと第２保持片３８ｈとの間から配索材Ｗが押し込まれた場合、第１保持片３８ｇが第２保持片３８ｈと離間する方向に撓み、その後、配索材Ｗが各下半円開口部３１ｄまで押し込まれると第１保持片３８ｇが初期状態に戻る。なお、第２保持片３８ｈは、上述したように、補強片３８ｍが仕切り板３１ｂに固定されているので、配索材Ｗが押し込まれても撓まない。
【００３０】
図４及び図５に示す支持突起リブ３９は、一対の保持片３８Ａ、３８Ｂを支持する突起である。支持突起リブ３９は、筐体３内部に設けられ、例えば、アッパカバー３３の側壁面３３ａの内側に設けられる。支持突起リブ３９は、例えば、アッパカバー３３の上半円開口部３３ｃと上半円開口部３３ｄとの間に設けられる第１支持突起リブ３９ａと、上半円開口部３３ｃを挟んで第１支持突起リブ３９ａとは反対側に設けられる第２支持突起リブ３９ｂとを有する。第１支持突起リブ３９ａは、フレーム３１及びアッパカバー３３が組み付けられた状態で、一対の保持片３８Ａと一対の保持片３８Ｂとの間に位置する。第１支持突起リブ３９ａは、挿通口３６が設けられる壁面Ｅに面対向する板部材であり、天井面３３ｂ側から高さ方向Ｘの下側に突出している。第１支持突起リブ３９ａは、第１幅方向Ｙの長さが保持面板３８ｃと保持面板３８ｉとの間隔と同等の長さである。第１支持突起リブ３９ａは、第１幅方向Ｙの両端の先端部がテーパー状に形成されており、保持面板３８ｃと保持面板３８ｉとの間に挿入され易くなっている。第１支持突起リブ３９ａは、例えば、フレーム３１及びアッパカバー３３が組み付けられた状態で、各保持面板３８ｃ、３８ｉの配索材Ｗとは反対側に当接状態となる。なお、本実施形態では、第１支持突起リブ３９ａは、当該第１支持突起リブ３９ａを補強する板形状の補強リブ３９ｃが設けられている。補強リブ３９ｃは、第１支持突起リブ３９ａと交差（直交）する第２幅方向Ｚに沿って第１支持突起リブ３９ａの略中央から第１支持突起リブ３９ａの前後に延在している。補強リブ３９ｃは、第２幅方向Ｚの両端部がアッパカバー３３の枠部に固定（一体成形）されている。
【００３１】
第２支持突起リブ３９ｂは、フレーム３１及びアッパカバー３３が組み付けられた状態で、第２保持片３８ｂの保持面板３８ｅと対向する場所に位置する。第２支持突起リブ３９ｂは、挿通口３６が設けられる壁面Ｅに面対向する板部材であり、天井面３３ｂ側から高さ方向Ｘの下側に突出し、第１幅方向Ｙ側の一端がアッパカバー３３の枠部に固定されている。第２支持突起リブ３９ｂは、第１幅方向Ｙ側の他端の先端部がテーパー状に形成されており、保持面板３８ｅに当接し易くなっている。第２支持突起リブ３９ｂは、例えば、フレーム３１及びアッパカバー３３が組み付けられた状態で、保持面板３８ｅの配索材Ｗとは反対側に当接状態となる。このように構成された第１及び第２支持突起リブ３９ａ、３９ｂは、フレーム３１及びアッパカバー３３が組み付けられた状態で、各保持面板３８ｃ、３８ｅ、３８ｉの配索材Ｗとは反対側を支持するので、外力が配索材Ｗに加えられても第１保持片３８ａ、３８ｇ及び第２保持片３８ｂが撓むことを抑制でき、配索材Ｗを適正に保持することができる。
【００３２】
次に、図６を参照して電気接続箱１の作用効果について説明する。図６は、実施形態に係る配索材Ｗの保持例を示す図１のＰ−Ｐ断面図である。電気接続箱１は、フレーム３１からアッパカバー３３が取り外された状態で、コルゲートチューブＣが外装された配索材Ｗが一対の保持片３８Ａに装着される。このとき、電気接続箱１は、第１保持片３８ａと第２保持片３８ｂとが互いに離間する方向に撓み、その後、配索材Ｗが下半円開口部３１ｃまで押し込まれると第１保持片３８ａ及び第２保持片３８ｂが初期状態に戻る。また、電気接続箱１は、コルゲートチューブＣが外装された配索材Ｗが一対の保持片３８Ｂに装着される。このとき、電気接続箱１は、第１保持片３８ｇが第２保持片３８ｈと離間する方向に撓み、その後、配索材Ｗが下半円開口部３１ｄまで押し込まれると第１保持片３８ｇが初期状態に戻る。そして、電気接続箱１は、一対の保持片３８Ａ、３８Ｂにより配索材Ｗを保持した状態でアッパカバー３３がフレーム３１に組み付けられると、第１支持突起リブ３９ａが各保持面板３８ｃ、３８ｉの配索材Ｗとは反対側に当接状態となる。また、電気接続箱１は、第２支持突起リブ３９ｂが保持面板３８ｅの配索材Ｗとは反対側に当接状態となる。
【００３３】
以上のように、実施形態に係る電気接続箱１及びワイヤハーネスＷＨは、相互に組み付けられ収容空間部３４を区分けするフレーム３１及びアッパカバー３３と、フレーム３１又はアッパカバー３３の境界端部Ｌが開口されて形成され導電性の配索材Ｗが内外に渡って挿通される挿通口３６とを有する筐体３を備える。そして、フレーム３１は、挿通口３６の両側に設けられ、挟持方向に可撓性を有し、配索材Ｗを挟持して保持する一対の保持片３８Ａ、３８Ｂを有する。アッパカバー３３は、フレーム３１及びアッパカバー３３が組み付けられた状態で、一対の保持片３８Ａ、３８Ｂの配索材Ｗとは反対側を支持する支持突起リブ３９を有する。これにより、電気接続箱１及びワイヤハーネスＷＨは、アッパカバー３３がフレーム３１から取り外されている状態で、一対の保持片３８Ａ、３８Ｂを撓ませながら配索材Ｗを押し込んで当該配索材Ｗを一対の保持片３８Ａ、３８Ｂに挟持させることができる。そして、電気接続箱１及びワイヤハーネスＷＨは、フレーム３１及びアッパカバー３３が組み付けられた状態において、支持突起リブ３９が一対の保持片３８Ａ、３８Ｂを配索材Ｗの反対側から支持するので、外力が配索材Ｗに加えられても一対の保持片３８Ａ、３８Ｂが撓むことを抑制できる。従って、電気接続箱１及びワイヤハーネスＷＨは、一対の保持片３８Ａ、３８Ｂが配索材Ｗを両側から強固に保持することができる。これにより、電気接続箱１及びワイヤハーネスＷＨは、配索材Ｗを適正に保持することができる。
【００３４】
また、電気接続箱１において、支持突起リブ３９は、筐体３内部に設けられ、挿通口３６が設けられる壁面Ｅに面対向する板部材である。これにより、電気接続箱１は、支持突起リブ３９により、フレーム３１とアッパカバー３３との境界から筐体３内部に入り込む液体を塞き止めることができる。従って、電気接続箱１は、当該境界から筐体３内部に入り込む液体を抑制することができ、止水性を向上できる。
【００３５】
また、電気接続箱１において、内部に配索材Ｗが挿通されることで当該配索材Ｗに外装されるコルゲートチューブＣを備え、一対の保持片３８Ａ、３８Ｂは、コルゲートチューブＣを両側から挟持し且つ保持する。電気接続箱１は、コルゲートチューブＣが外装された配索材Ｗにも好適に適用することができる。
【００３６】
〔変形例〕
次に、実施形態の変形例について説明する。フレーム３１及びアッパカバー３３により構成される挿通口３６に一対の保持片３８Ａ、３８Ｂ及び支持突起リブ３９を設ける例について説明したが、これに限定されない。フレーム３１及びロアカバー３２により構成される挿通口３６に一対の保持片３８Ａ、３８Ｂ及び支持突起リブ３９を設けてもよいし、図示しない第１フレーム及び第２フレームにより構成される挿通口３６に一対の保持片３８Ａ、３８Ｂ及び支持突起リブ３９を設けてもよい。
【００３７】
また、挿通口３６は、フレーム３１及びアッパカバー３３の両方の境界端部Ｌが開口されて略円形の挿通開口部が形成される例について説明したが、これに限定されない。挿通口３６は、フレーム３１又はアッパカバー３３のいずれか一方の境界端部Ｌが開口されて略円形の挿通開口部が形成されてもよい。
【００３８】
また、一対の保持片３８Ａ、３８Ｂは、可撓性を有し、配索材Ｗを両側から挟持して保持することができれば、上述した形状に限定されない。
【００３９】
また、支持突起リブ３９は、一対の保持片３８Ａ、３８Ｂの配索材Ｗとは反対側を支持することができれば、上述した形状に限定されない。
【００４０】
また、第１支持突起リブ３９ａは、第１幅方向Ｙの長さが保持面板３８ｃと保持面板３８ｉとの間隔と同等の長さである例について説明したが、これに限定されない。第１支持突起リブ３９ａは、第１幅方向Ｙの長さが保持面板３８ｃと保持面板３８ｉとの間隔よりも長くてもよい。この場合、第１支持突起リブ３９ａは、フレーム３１及びアッパカバー３３が組み付けられた状態で、各保持面板３８ｃ、３８ｉを配索材Ｗ側に押し込む状態となり、配索材Ｗをより強固に保持することができる。第２支持突起リブ３９ｂについても、同様に、フレーム３１及びアッパカバー３３が組み付けられた状態で、保持面板３８ｅを配索材Ｗ側に押し込む構成としてもよい。
【符号の説明】
【００４１】
１  電気接続箱
３  筐体
３１  フレーム（第一部材）
３３  アッパカバー（第二部材）
３４  収容空間部（内部空間）
３６、３６ａ、３６ｂ  挿通口
３８Ａ、３８Ｂ  一対の保持片
３９  支持突起リブ（支持突起部）
Ｃ  コルゲートチューブ（外装材）
Ｅ  壁面
Ｌ  境界端部
Ｗ  配索材
ＷＨ  ワイヤハーネス
【図１】
2018148771.tif 000003
【図２】
2018148771.tif 000004
【図３】
2018148771.tif 000005
【図４】
2018148771.tif 000006
【図５】
2018148771.tif 000007
【図６】
2018148771.tif 000008